(57)【要約】【課題】携帯通信端末において、一つの氏名データに対して複数の通信情報を登録した場合における短縮機能の使い勝手をよくし操作性を改善することである。【解決手段】特定の通信機器との通信を行うための通信情報を入力する入力手段１７と、入力された通信情報を表示する表示手段１８と、複数の通信情報を、氏名データと対応づけて記憶する記憶手段１９と、を有する携帯通信端末において、ＣＰＵ１４に、記憶手段１９により記憶された、ある一つの氏名データと対応づけられた複数の通信情報のうち、何れか一つの通信情報に短縮番号を設定させる設定処理と、設定された短縮番号が入力された場合に、短縮番号と対応づけられた通信情報に基づいて通信処理を実行させる通信実行処理とを、制御させる。【選択図】　　　図９
2004088572.tif 000002
【特許請求の範囲】
【請求項１】
特定の通信機器との通信を行うための通信情報を入力する入力手段と、前記入力手段により入力された通信情報を表示する表示手段と、複数の通信情報を、氏名データと対応づけて記憶する記憶手段と、を有する携帯通信端末において、
前記記憶手段により記憶された、ある一つの氏名データと対応づけられた複数の通信情報のうち、何れか一つの通信情報に短縮番号を設定する設定手段と、
前記設定手段により設定された短縮番号が、前記入力手段により入力された場合に、前記短縮番号と対応づけられた通信情報に基づいて通信処理を実行する通信実行手段と、
を備えることを特徴とする携帯通信端末。
【請求項２】
前記設定手段は、
前記表示手段に表示された複数の通信情報の中から、一つの通信情報を選択する選択手段と、
前記選択手段により選択された通信情報と短縮番号とを対応付けて記憶する短縮番号記憶手段と、を備え、
前記通信実行手段は、前記入力手段により入力された短縮番号に対応付けられた通信情報を前記短縮番号記憶手段から取得し、取得した通信情報に基づいて通信処理を実行することを特徴とする請求項１に記載の携帯通信端末。
【請求項３】
通信情報と短縮番号との対応付けを変更するための変更メニューをメモリダイヤルメニュー画面に設けたことを特徴とする請求項１又は２に記載の携帯通信端末。
【請求項４】
特定の通信機器との通信を行うための通信情報を入力する入力手段と、前記入力手段により入力された通信情報を表示する表示手段と、複数の通信情報を、氏名データと対応づけて記憶する記憶手段と、を有するコンピュータに、
前記記憶手段により記憶された、ある一つの氏名データと対応づけられた複数の通信情報のうち、何れか一つの通信情報に短縮番号を設定する機能と、
前記設定手段により設定された短縮番号が、前記入力手段により入力された場合に、前記短縮番号と対応づけられた通信情報に基づいて通信処理を実行する機能と、
を実現させるためのプログラム。
【発明の詳細な説明】
【０００１】
【発明の属する技術分野】
本発明は、携帯通信端末及びプログラムに関する。
【０００２】
【従来の技術】
従来、携帯電話機は、通信先である任意の氏名データと関連づけて、電話番号、電子メールアドレス、住所等をメモリに記憶してメモリダイヤルとして登録することができる。そして、一度登録すると、電話をかける際、あるいはメールアドレスを送信する際に、登録したメモリダイヤルをメモリから検索して読み出すことにより、電話番号やメールアドレス等をその都度入力する手間を省くことができる。
【０００３】
また、メモリダイヤルの登録内容には、登録番号が対応づけられており、この登録番号を入力して通話開始の指示を出すと、登録番号に対応づけられた電話番号先に自動的に電話をかける短縮番号機能が設けられている。
更に昨今では、一つの氏名データに対して複数の電話番号又はメールアドレスが登録可能になっている。具体的に、電話番号であれば、例えば、携帯電話の番号、勤務先の番号、自宅番号等が同じ氏名データで一度に登録できるので、氏名をその都度入力しなくてよいし、一度に複数の連絡先を確認できるため大変便利である。
【０００４】
【発明が解決しようとする課題】
ところが、複数電話番号が登録されている場合は、最初に登録した番号が短縮機能の対応付けられた番号となるように設定されている。従って、例えば、最初にある人の自宅番号を登録して、後日その人の携帯電話番号を登録した場合において、携帯電話番号を短縮機能と対応させるようにするには、自宅番号をメモ等でどこかに控えておいて、最初の登録欄に携帯電話番号を入力登録した上で、自宅番号を再度入力し直すといった作業が必要となり、操作性が大変悪いという問題があった。
【０００５】
本発明の課題は、携帯電話機等の携帯通信端末において、一つの氏名データに対して複数通信先を登録した場合における短縮機能の使い勝手をよくし操作性を改善することである。
【０００６】
【課題を解決するための手段】
本発明は、特定の通信機器との通信を行うための通信情報を入力する入力手段と、前記入力手段により入力された通信情報を表示する表示手段と、複数の通信情報を、氏名データと対応づけて記憶する記憶手段と、を有する携帯通信端末において、
前記記憶手段により記憶された、ある一つの氏名データと対応づけられた複数の通信情報のうち、何れか一つの通信情報に短縮番号を設定する設定手段と、
前記設定手段により設定された短縮番号が、前記入力手段により入力された場合に、前記短縮番号と対応づけられた通信情報に基づいて通信処理を実行する通信実行手段と、を備えたことを特徴としている。
【０００７】
さらに、本発明は、
前記設定手段は、
前記表示手段に表示された複数の通信情報の中から、一つの通信情報を選択する選択手段と、
前記選択手段により選択された通信情報と短縮番号とを対応付けて記憶する短縮番号記憶手段と、を備え、
前記通信実行手段は、前記入力手段により入力された短縮番号に対応付けられた通信情報を前記短縮番号記憶手段から取得し、取得した通信情報に基づいて通信処理を実行することが好ましい。
【０００８】
さらに、本発明は、
通信情報と短縮番号との対応付けを変更するための変更メニューをメモリダイヤルメニュー画面に設けることが好ましい。
【０００９】
更に、本発明のプログラムは、
特定の通信機器との通信を行うための通信情報を入力する入力手段と、前記入力手段により入力された通信情報を表示する表示手段と、複数の通信情報を、氏名データと対応づけて記憶する記憶手段と、を有するコンピュータに、
前記記憶手段により記憶された、ある一つの氏名データと対応づけられた複数の通信情報のうち、何れか一つの通信情報に短縮番号を設定する機能と、
前記設定手段により設定された短縮番号が、前記入力手段により入力された場合に、前記短縮番号と対応づけられた通信情報に基づいて通信処理を実行する機能と、
を実現させる。
【００１０】
【発明の実施の形態】
以下、図を参照して本発明の実施の形態を詳細に説明する。
図１〜図１２は、本発明を適用した一実施の形態の携帯電話機１を示す図である。
まず、構成を説明する。
携帯電話機１は、携帯電話方式として、例えば、ＰＤＣ（Ｐｅｒｓｏｎａｌ　Ｄｉｇｉｔａｌ　Ｃｅｌｌｕｌａｒ）方式、ＣＤＭＡ（Ｃｏｄｅ　Ｄｉｖｉｓｉｏｎ　Ｍｕｌｔｉｐｌｅ　Ａｃｃｅｓｓ）方式、ＰＨＳ（Ｐｅｒｓｏｎａｌ　Ｈａｎｄｙｐｈｏｎｅ　Ｓｙｓｔｅｍ）方式等を利用するものであり、携帯電話方式を特に限定するものではない。
【００１１】
図１は、携帯電話機１内部の機能構成を示すブロック図である。図１において、携帯電話機１は、アンテナ１１、ＲＦ回路１２、モデム１３、ＣＰＵ１４、ＲＡＭ１５、ＲＯＭ１６、入力部１７、表示部１８、記憶部１９、スピーカ２０、及びマイク２１などにより構成されている。
【００１２】
アンテナ１１は、ＲＦ回路１２の制御により上記携帯電話方式に応じて設置された無線基地局（図示せず）との間で無線通信信号を送受信する。
【００１３】
ＲＦ回路１２は、ベースバンド回路等を内蔵し、アンテナ１１を介して受信した信号を増幅および周波数変換して復調し、その復調信号をモデム１３に出力し、モデム１３から入力された音声やデータの信号を変調し、その変調信号を周波数変換および増幅を行ってアンテナ１１を介して送信する。
【００１４】
モデム（ＭＯＤＥＭ：ＭＯｄｕｌａｔｏｒ／ＤＥＭｏｄｕｌａｔｏｒ）１３は、ＲＦ回路１２から入力された復調信号から通信制御信号を抽出してＣＰＵ１４に出力するとともに、ＣＰＵ１４から入力される通信制御信号をＲＦ回路１２に出力して、携帯電話機１と無線基地局との間の通信手順を制御する。
【００１５】
ＣＰＵ（Ｃｅｎｔｒａｌ　Ｐｒｏｃｅｓｓｉｎｇ　Ｕｎｉｔ　）１４は、ＲＯＭ１６に記憶された制御プログラムに基づいて、接続された各部を制御して携帯電話機１に備えられた各種機能（携帯電話機能、メール送受信機能、電話帳のメモリダイヤル登録機能等）を実行する。すなわち、ＣＰＵ１４は、入力部１７からの各種キー入力指示に応じて、ＲＯＭ１６から対応する制御プログラムを読み出してＲＡＭ１５のワークエリアに展開して実行し、接続された各部を制御して各種機能（携帯電話機能、メール送受信機能、電話帳のメモリダイヤル登録機能等）を実行する。
【００１６】
具体的に、ＣＰＵ１４は、操作者による入力部１７の操作によって入力された番号、記号等の入力信号を認識し、指定された番号、記号等を、表示部１８の所定の表示位置データと対応づけて、ＲＡＭ１５に一時記憶させ、表示部１８の所定の表示位置に表示させる。
【００１７】
また、ＣＰＵ１４は、設定手段として、電話帳のメモリダイヤル登録処理において、入力部１７の操作により入力された氏名データと、電話番号、メールアドレス等のデータを対応付け、更に０００〜０９９の数字からなる登録番号を割り振って記憶してメモリダイヤルとして登録する。
そして、この登録番号は、スピードダイヤル発信を行うための短縮番号となる。即ち、操作者により短縮番号としての登録番号が入力されて通話開始指示が入力されると、ＣＰＵ１４は、通信実行手段として、登録番号と対応づけられた電話番号先を、後述の電話帳テーブル１９ａのメモリダイヤルから読み出し、該電話番号に対して通信処理を実行する。
また、上記メモリダイヤルの登録処理において、上記メモリダイヤルに複数の電話番号又は複数のメールアドレスが登録された場合に、何れの電話番号又はアドレスをスピードダイヤル発信設定の対象にするかの選択信号が操作者によって入力されると、ＣＰＵ１４は、設定手段として、該スピードダイヤル発信設定選択信号に基づいて、選択された電話番号、或いはメールアドレスに対して、スピードダイヤル発信設定を実行する。より詳細には、電話帳テーブル１９ａのスピードダイヤル発信設定の欄において、選択された番号（又はメールアドレス）の値を「１」に設定し、その他の番号（又はメールアドレス）の値を「０」に設定する。
【００１８】
ＲＡＭ（Ｒａｎｄｏｍ　Ａｃｃｅｓｓ　Ｍｅｍｏｒｙ）１５は、ＣＰＵ１４がＲＯＭ１６から読み出して実行する制御プログラムや処理中のデータ等を展開するためのワークエリアを形成する。また、ＲＡＭ１５は、後述する様々な画面遷移の際の画面データや、入力された番号、記号、文字等を、一時的に格納する。
【００１９】
ＲＯＭ（Ｒｅａｄ　Ｏｎｌｙ　Ｍｅｍｏｒｙ）１６は、フラッシュＲＯＭ等により構成され、ＣＰＵ１４が実行する各種制御プログラムや上記文字クリア機能を実行するための制御プログラムなどを記憶する。また、後述する様々な画面遷移の際の画面データを格納する。
【００２０】
入力部１７は、入力手段として機能し、図２に示すように、テンキー群１７ａ、電源／オンフックキー１７ｂ、オフフックキー１７ｃ、上キー１７ｄ、下キー１７ｅ、左キー１７ｆ、右キー１７ｇ、ソフトキーＳ１，Ｓ２、メニューキーＭ、及びクリアキーＣを備え、その各キー入力操作に応じた入力信号をＣＰＵ１４に出力する。
【００２１】
具体的には、テンキー群１７ａは、電話番号と文字列（かな文字、カタカナ、英文字等）の入力、電源／オンフックキー１７ｂは、携帯電話機１の電源オン／オフと通話終了の入力、オフフックキー１７ｃは、通話開始の入力に用いられる。また、上下左右キー１７ｄ、１７ｅ、１７ｆ、１７ｇは、電話画面、メール入力画面等においてカーソルによる入力位置の移動等の入力、ソフトキーＳ１，Ｓ２は電話番号入力画面、メール入力画面等においてそれぞれで予め割り当てられた機能の実行、メニューキーＭは電話モード、メール入力モード等の予め設定されたメニューを遷移するときの入力、クリアキーＣは電話番号入力画面、メール入力画面等において入力指示を取り消すための入力等に用いられる。また、入力部１７は、選択手段として、メモリダイヤルに複数登録された電話番号のうち、何れか一つをスピードダイヤル発信設定するための選択に用いられる。
【００２２】
表示部１８は、表示手段として機能し、ＣＰＵ１４から入力される表示制御信号により表示制御され、携帯電話機１としての電話画面、メール入力画面、メモリダイヤル登録処理に関する各種画面等をキー入力部３からの入力指示に応じて表示するとともに、その各画面においてキー入力された情報を表示する。
また、図３に示すように、電話画面、各種入力画面等の各種表示画面において、主要項目が表示されるメイン表示領域Ｇ１と、メイン表示部に対する各種機能を実施するためのキー入力をナビゲートするナビ表示領域Ｇ２とが形成されるようになっている。
【００２３】
特に、ナビ表示領域Ｇ２に表示されるキーは、メイン表示領域Ｇ１に表示される表示内容に対して、例えば、設定、選択、戻る等の所定の機能を実行指示する場合に、どのキーを押下すればよいかを操作者にナビゲートするためのものである。そして、図３に示すように、３つの機能を表示することができるようになっており、中央部に表示される機能は、メニューキーＭと対応づけられ、左部に表示される機能は、ソフトキーＳ１と、右部に表示される機能はソフトキーＳ２と対応づけられている。
【００２４】
また、ナビ表示領域Ｇ２に表示されるキーには、例えば、メイン表示領域Ｇ１に表示され各種項目を選択する項目キー、所定画面への戻り指示キー、所定の項目の設定指示キー等がある。
また、メイン表示領域Ｇ１において、任意の項目を、所定の機能の対象として指定するフォーカスＦＣは、上下キー１７ｄ、１７ｅを押下して移動させることができる。
【００２５】
記憶部１９は、Ｆｌａｓｈ　　ＲＯＭ等の不揮発性の半導体メモリにより構成され、記憶手段として機能する。具体的に、記憶部１９には、複数の電話番号、メールアドレスデータ等の宛先が氏名データに対応づけられて記憶されている電話帳テーブル１９ａ、送受信メール、着信履歴等のデータが記憶されている。
【００２６】
特に、電話帳テーブル１９ａは、短縮番号記憶手段として機能し、図４に示すように、０００〜０９９の間の数字からなる登録番号ごとに、氏名データ、複数の電話番号データが対応づけられたメモリダイヤルデータが、複数の電話番号データには、それぞれスピード発信設定の有無が設定されている。ここで、スピードダイヤル発信設定とは、操作者が登録番号を入力して通話開始指示を入力すると、ＣＰＵ１４がその登録番号と対応づけられた電話番号に対する通信処理を実行するための短縮通信設定である。そして、スピードダイヤル発信が設定されている場合には、「１」が付加され、スピードダイヤル発信が設定されていない場合には、「０」が付加されている。尚、初期状態では、登録された複数の電話番号のうち、最初に登録したものに「１」が付加されるように構成されている。ここで、登録番号は、スピードダイヤル発信を行うための短縮番号でもある。また、電話番号及びメールアドレスは、通信情報の一具体例である。
【００２７】
尚、図示しないが、電話帳テーブル１９ａには、上記登録番号、氏名データと対応づけられて、複数のメールアドレス、住所、分類データ等のデータが含まれていても良い。特にメールアドレスは、複数記憶されている場合に、上記スピードダイヤル発信設定と同様の特別な短縮設定が何れか一つに設定可能な構成であってもよい。
【００２８】
スピーカ２０は、ＣＰＵ１４から入力される音声信号を音声に変換して出力する。
マイク２１は、ユーザの送話音声を送話音声信号に変換してＣＰＵ１４に出力する。
【００２９】
次に、本実施の形態の動作を説明する。
まず、図２のＣＰＵ１４により実行される電話帳のメモリダイヤルの登録処理について図５に示すフローチャート、及び図８に示す表示画面遷移図を参照して説明する。
【００３０】
まず、携帯電話機１の操作者により入力部１７のメニューキーＭ等が押下されることにより、電話帳テーブル１９ａにメモリダイヤルを登録するためのメモリダイヤル登録指示信号が入力される（ステップＳ１０１）と、同メモリダイヤル登録指示信号を検知したＣＰＵ１４により、図８（ａ）に示すように、電話帳テーブル１９ａにメモリダイヤルを登録するためのメモリダイヤル登録画面８０１が表示部１８に表示される（ステップＳ１０２）。
【００３１】
ここで、メモリダイヤル登録画面８０１のメイン表示領域Ｇ１には、電話帳テーブル１９ａに登録する項目として、例えば、「名前」１１ａ、「読み」１１ｂ、「ＴＥＬ１」１１ｃ、「ＴＥＬ２」１１ｄ、「ＴＥＬ３」１１ｅ、「メール１」１１ｆ、「メール２」１１ｇ等が設けられている。そして、上下キー１７ｄ、１７ｅを押下することで、指定中の項目であることを示すフォーカスＦＣを移動させることが出来る様になっている。
また、ナビ表示領域Ｇ２には、メイン表示領域Ｇ１に表示された表示項目に対して、各機能を実行するためのキー操作のナビゲーション情報が表示されている。具体的には、例えば、メニューキーＭの押下により、フォーカスＦＣが位置する項目の選択を表す「選択」アイコン１２ａ、ソフトキーＳ１の押下によりメモリダイヤル登録画面に表示された内容の登録処理の実行を表す「登録」アイコン１２ｂ、ソフトキーＳ２の押下により前画面への移行を表す「戻る」アイコン１２ｃが表示されている。
【００３２】
上記のような状態において、操作者により上記項目のうち、所定の項目にフォーカスＦＣが指定された状態で、メニューキーＭが押下される（ステップＳ１０３）と、ＣＰＵ１４は、フォーカスＦＣが位置する項目の詳細を入力する項目入力設定処理の指示信号であると判断し、該項目の入力画面（図示しない）を表示部１８に表示させる。
そして、同項目の入力画面において、操作者により入力部１７の所定のキーが押下されることにより文字、記号等が入力されると、ＣＰＵ１４は、入力されたキーに対応する文字、記号等を、ＲＡＭ１５に一時記憶させた上で、表示部１８に表示させる（ステップＳ１０４）。
【００３３】
そして、操作者により、メニューキーＭが押下されて入力内容の確定指示が入力されると（ステップＳ１０５）、ＣＰＵ１４は、入力内容を項目の確定内容として電話帳テーブル１９ａに記憶する。更にＣＰＵ１４は、メモリダイヤル登録画面の該項目欄に、入力内容を更新表示させて（ステップＳ１０６）、ステップＳ１０２に移行する。
【００３４】
上記のステップＳ１０４〜ステップＳ１０６のようにして、メモリダイヤル登録画面８０１の各項目、例えば、「名前」１１ａ、「読み」１１ｂ、「ＴＥＬ１」１１ｃ、「ＴＥＬ２」１１ｄ、「ＴＥＬ３」１１ｅ、「メール１」１１ｆ、「メール２」１１ｇ等の入力、設定処理が行われる。そして、操作者によりソフトキーＳ１が押下される（ステップＳ１０７）と、ＣＰＵ１４は、メモリダイヤル登録画面８０１に既入力された内容の登録指示であると判断し、図８の（ｂ）に示すような登録番号（メモリＮｏ．）設定画面８０２を表示部１８に表示させる（ステップＳ１０８）。
【００３５】
この登録番号設定画面８０２のメイン表示領域Ｇ１には、０００〜０９９の数字からなる登録番号（メモリＮｏ．）２１ａと、メモリ空き件数２１ｂが表示される。ここで登録番号２１ａは、ＣＰＵ１４により自動的に空き番号が割り振られ、操作者により変更可能な構成であるとする。また、この登録番号２１ａは、後述のスピードダイヤル発信を行うための短縮番号でもある。
また、登録番号設定画面８０２のナビ表示領域Ｇ２には、それぞれの表示領域により、ソフトキーＳ１、メニューキーＭ、ソフトキーＳ２と対応づけられた「シークレット」アイコン２２ａ、「確定」アイコン２２ｂ、「戻る」アイコン２２ｃが表示されている。
【００３６】
そこで、操作者により、ソフトキーＳ１キーが押下されると（ステップＳ１０９）、ＣＰＵ１４は、シークレット設定の指示信号が入力されたと判断し、シークレット設定処理を実行する（ステップＳ１１０）。
ここで、シークレット設定処理とは、例えば、シークレット設定されたメモリダイヤルの登録電話番号からの着信について登録名を表示させないといった処理を実行するための設定処理である。
【００３７】
一方、ＣＰＵ１４は、操作者によりメニューキーＭが押下されたと判断した場合（ステップＳ１１１）、メモリダイヤル登録処理の確定指示信号が入力されたと判断し、メモリダイヤルの設定処理を実行する（ステップＳ１１２）。メモリダイヤルの設定処理において、ＣＰＵ１４は、具体的に、図８（ｃ）に示すような登録完了画面８０３を表示部１８に表示させるとともに、設定完了を知らせる報知音をスピーカ２１から放音する。また、ＣＰＵ１４は、操作者により入力された各項目の内容、即ち、名前、電話番号等と、登録番号と、を対応づけて記憶部１９の電話帳テーブル１９ａに記憶させる。
【００３８】
次いで、ＣＰＵ１４は、登録完了画面８０３を表示部１８に表示させてから所定の時間が経過したか否かを判断し（ステップＳ１１３）、所定時間が経過したと判断した場合（ステップＳ１１３：Ｙｅｓ）には、本メモリダイヤル登録処理を終了させ、待ち受け画面（図示省略）を表示部１８に表示させる。
【００３９】
一方、登録番号設定画面８０２が表示された状態において、ＣＰＵ１４は、操作者によりソフトキーＳ２が押下されたと判断した場合（ステップＳ１１４）には、前画面に戻る指示が入力されたと判断してステップＳ１０２に工程を戻る。
【００４０】
次いで、ステップＳ１０４における各項目の入力設定処理のうち、電話番号のスピードダイヤル発信設定処理について、図６に示すフローチャートと、図８、９に示す表示画面の遷移図を用いて、以下で説明を行う。
【００４１】
まず、図５のステップＳ１０２で実行されたようにして図８（ａ）に示すようなメモリダイヤル登録画面８０１が表示部１８に表示される（ステップＳ２０１）。
【００４２】
ここで、メモリダイヤル登録画面８０１は、図８（ａ）に示すように、メイン表示領域Ｇ１には、電話帳に登録する各項目が表示されており、ナビ表示領域Ｇ２には、「選択」アイコン１２ａ、「メニュー」アイコン１２ｂ、「戻る」アイコン１２ｃが表示されている。
【００４３】
上記のような状態において、操作者により上記項目のうち、電話番号項目にフォーカスＦＣが指定され（ステップＳ２０２）、メニューキーＭが押下される（ステップＳ２０３）と、ＣＰＵ１４は、電話番号項目の設定処理の指示信号であると判断し、図９（ａ）に示すような電話番号設定画面９０１を表示部１８に表示させる（ステップＳ２０４）。
ここで、電話番号項目は、図８（ａ）のメモリダイヤル登録画面８０１の「ＴＥＬ１」１１ｃ「ＴＥＬ２」１１ｄ、「ＴＥＬ３」１１ｅの何れであってもよいものとする。
【００４４】
電話番号設定画面９０１は、予め電話番号の入力が行われていない場合には、９０１ａに示すような画面であり、予め電話番号の入力、登録が行われている場合には、９０１ｂに示すような画面である。そして、ナビ表示領域Ｇ２には、それぞれ表示領域により、ソフトキーＳ１、メニューキーＭ、ソフトキーＳ２と対応づけられている各コマンドを表わすアイコンが表示されている。具体的には、スピードダイヤル発信設定を行うための「設定」アイコン３２ａ、入力・表示された電話番号を確定するための「確定」アイコン３２ｂ、９０１ａにおいては、前画面に戻るための「戻る」アイコン３２ｃが、９０１ｂにおいては、入力内容をクリアする「クリア」アイコン３２ｄが表示されている。ここで、スピードダイヤル発信設定とは、一つのメモリダイヤルに複数の電話番号が登録されている場合に、どの電話番号を、登録番号（短縮番号）を用いた短縮ダイヤル機能の対象とするかを設定する処理である。
【００４５】
上記の状態において、操作者によりソフトキーＳ１が押下されると（ステップＳ２０５）、ＣＰＵ１４は、スピードダイヤル発信の設定指示信号が入力されたと判断し、図９（ｂ）に示すようなスピードダイヤル番号選択画面９０２を表示部１８に表示させる（ステップＳ２０６）。
【００４６】
一方、電話番号設定画面９０１が表示された状態において、ＣＰＵ１４は、操作者によるメニューキーＭの押下信号を検知した場合（ステップＳ２０７）、該電話番号の入力内容での確定であると判断し、同入力番号を確定番号として記憶部１９に記憶し（ステップＳ２０８）、ステップＳ２０１に工程を戻る。
【００４７】
ステップＳ２０６で表示されたスピードダイヤル発信番号選択画面９０２のメイン表示領域Ｇ１には、メモリダイヤル登録処理で登録された電話番号等の選択候補のリストとして、「ＴＥＬ１」４１ａ、「ＴＥＬ２」４１ｂ、「ＴＥＬ３」４１ｃが表示される。ここで、スピードダイヤル発信が設定されている番号、図９（ｂ）においては、「ＴＥＬ１」４１ａの表示色が他の未設定番号のものと異なっている。尚、図９（ｂ）においては、表示色の代わりに下線で表現した。
【００４８】
上記の状態において、操作者は、スピードダイヤル発信番号選択画面９０２に表示されているフォーカスＦＣを、上下キー１７ｄ、１７ｅを押下することにより移動させて、スピードダイヤル発信の設定を行いたい番号に合わせて選択する（ステップＳ２０９）。
【００４９】
そして、上記フォーカスＦＣが任意の番号（例えば、「ＴＥＬ２」４１ｂ）に位置している状態において、ＣＰＵ１４は、操作者の操作によるソフトキーＳ１の入力信号を検知した場合（ステップＳ２１０）、該電話番号の詳細を示す詳細表示画面（図１０（ｃ）参照）を表示部１８に表示させる（ステップＳ２１１）。ここで詳細表示画面には、登録された電話番号が拡大表示されるとともに、登録番号の入力・変更等が可能になっている。尚、本ステップにおける詳細表示画面には、図１０（ｃ）に示すような「メニュー」アイコン７２は表示されていない。
【００５０】
次いで、操作者の操作により、ソフトキーＳ２が押下される（ステップＳ２１２）と、ＣＰＵ１４は、前画面への戻る指示が入力されたと判断して、ステップＳ２０１に工程を戻る。
【００５１】
一方、ステップＳ２０９において、ＣＰＵ１４は、操作者の操作によるメニューキーＭの押下信号を検知する（ステップＳ２１３）と、フォーカスＦＣが位置している電話番号（図９（ｂ）においては「ＴＥＬ２」４１ｂ）をスピードダイヤル発信設定番号に変更する処理を実行する（ステップＳ２１４）。具体的に、ＣＰＵ１４は、電話帳テーブル１９ａのスピードダイヤル発信設定が選択された番号のスピードダイヤル発信設定の有無欄の値を「０」から「１」に変更し、その他の番号の値を「０」にする。
【００５２】
そして、ＣＰＵ１４は、図９（ｃ）に示すようなスピードダイヤル発信設定の完了画面９０３を表示部１８に表示させる（ステップＳ２１５）とともに、設定完了を報知する報知音をスピーカ２０から放音させる。
【００５３】
次いで、ＣＰＵ１４は、完了画面９０３を表示部１８に表示させてから所定の時間が経過したか否かを判断し（ステップＳ２１６）、所定時間が経過したと判断した場合（ステップＳ２１６：Ｙｅｓ）には、ステップＳ２１７に移行する。ステップＳ２１７において、ＣＰＵ１４は、電話帳テーブル１９ａのスピードダイヤル発信設定の有無の欄に基づいて、スピードダイヤル設定が行われている電話番号（ここでは、「ＴＥＬ２」５１ｂ）の表示色を変更（図９（ｄ）においては、表示色の代わりに下線で表現）したメモリダイヤル登録更新画面９０４を作成して、表示部１８に表示させ、このことをもって、スピードダイヤル発信設定処理が終了し、例えば、図５のステップＳ１０５へ移行する。
【００５４】
一方、ステップＳ２０６におけるスピードダイヤル発信設定画面９０２が表示された状態において、ＣＰＵ１４は、操作者によりソフトキーＳ２が押下されたと判断した場合（ステップＳ２１８）には、前画面に戻る指示が入力されたと判断してステップＳ２０４に工程を戻る。
【００５５】
次いで、図５のメモリダイヤル登録後に、メモリダイヤルの設定を変更するメモリダイヤル設定内容変更処理について、図７に示すフローチャートと、図１０に示す表示画面の遷移図を用いて以下で説明する。尚、本実施の形態において、メモリダイヤル設定内容の変更処理の一例として、スピードダイヤル発信設定の電話番号を変更するスピードダイヤル発信設定の変更処理について説明を行う。
【００５６】
まず、携帯電話機１の操作者によりメニューキーＭ等が押下されることにより、電話帳テーブル１９ａに登録されたメモリダイヤルのうち、所定のメモリダイヤル設定内容（スピードダイヤル発信設定）を変更したいメモリダイヤルの検索メニューが指定される。そこで、ＣＰＵ１４は、該検索メニューの指示信号に基づいて、図１０（ａ）に示すような登録済みメモリダイヤルのリスト画面１００１を表示部１８に表示させる。そこで、操作者は、同リスト画面１００１上でフォーカスＦＣを上下に移動させながら、対象のメモリダイヤルを検索する（ステップＳ３０１）。
【００５７】
そして、操作者の操作により、上記リスト画面１００１のうち、検索対象のメモリダイヤルの名前の上にフォーカスＦＣを位置させた状態でメニューキーＭが押下されると、ＣＰＵ１４は、フォーカスＦＣが位置する名前のメモリダイヤルが選択されたと判断し、同メモリダイヤルのデータを記憶部１９の電話帳テーブル１９ａより読み出して、図１０（ｂ）に示すようなメモリダイヤル登録の詳細画面１００２を表示部１８に表示させる。
ここで、詳細画面１００２のメイン表示領域Ｇ１及びナビ表示領域Ｇ２における表示項目、内容等は、図８（ａ）のメモリダイヤル登録画面８０１及び図９（ｄ）のメモリダイヤル登録画面９０４と略同様のため、詳細な説明を省略する。尚、スピードダイヤル発信が設定されている電話番号（図１０の（ｂ）においては、「ＴＥＬ２」６１ｂ）の表示色が他の未設定番号（例えば、「ＴＥＬ１」６１ａ等）のものと異なっている。尚、図１０の（ｂ）においては、表示色の代わりに下線で表現した。
【００５８】
上記のような状態において、操作者により上記項目のうち、電話番号項目にフォーカスＦＣが指定され（ステップＳ３０３）、メニューキーＭが押下される（ステップＳ３０４）と、ＣＰＵ１４は、電話番号項目の選択処理の指示信号であると判断し、図１０（ｃ）に示すような電話番号の詳細表示画面１００３を表示部１８に表示させる（ステップＳ３０５）。
ここで、電話番号項目は、詳細画面１００２の「ＴＥＬ１」６１ａ「ＴＥＬ２」６１ｂ等の何れであってもよく、ステップＳ３０３において、「ＴＥＬ１」６１ａが選択された場合には１００３ａが表示され、同様に「ＴＥＬ２」６１ｂが選択された場合には、１００３ｂが表示される。
【００５９】
また、上記電話番号の詳細表示画面１００３のメイン表示領域Ｇ１には、選択された電話項目の電話番号７１ａ、７１ｂが表示されており、ナビ表示領域Ｇ２には、それぞれ表示領域により、ソフトキーＳ１、ソフトキーＳ２と対応づけられている、メモリダイヤルの各種設定メニューの選択を行うための「メニュー」アイコン７２ａ、前画面に戻るための「戻る」アイコン７２ｂが表示されている。
【００６０】
上記の状態において、操作者によりソフトキーＳ１が押下されると（ステップＳ３０６）、ＣＰＵ１４は、メモリダイヤルの各種設定メニューの表示指示信号が入力されたと判断し、図１０（ｄ）に示すようなメモリダイヤルメニュー画面１００４を表示部１８に表示させる（ステップＳ３０７）。
【００６１】
一方、電話番号の詳細表示画面１００３が表示された状態において、操作者によりソフトキーＳ２が押下されたと、ＣＰＵ１４が検知した場合（ステップＳ３０８）、前画面への戻りの指示信号であると検知し、ステップＳ３０２に工程を戻る。
【００６２】
ステップＳ３０７で表示されたメモリダイヤルメニュー画面１００４のメイン表示領域Ｇ１には、詳細画面１００２において実行可能な各メニュー項目が表示されている。具体的には、「編集」メニュー８１ａ、「発信」メニュー８１ｂ、「メール送信」メニュー８１ｃ、「削除」メニュー８１ｄ、「検索」メニュー８１ｅ、「表示切り替え」メニュー８１ｆ、「スピードダイヤル発信設定・変更」メニュー８１ｇ等が表示されている。また、ナビ表示領域Ｇ２には、その表示領域から、メニューキーＭと対応づけられた「選択」アイコン８２ａ、ソフトキーＳ２と対応づけられた「戻る」アイコン８２ｂが表示されている。
【００６３】
上記の状態において、操作者が、メモリダイヤルメニュー画面１００４に表示されているフォーカスＦＣを、上下キー１７ｄ、１７ｅを押下することにより移動させて、「スピードダイヤル発信設定・変更」メニュー８１ｇに合わせることにより、メモリダイヤルメニュー項目を選択する（ステップＳ３０９）。
【００６４】
そして、ＣＰＵ１４は、フォーカスＦＣが「スピードダイヤル発信設定・変更」メニュー８１ｇに位置している状態において、操作者の操作によりメニューキーＭの入力信号を検知した場合（ステップＳ３１０）、ＣＰＵ１４は、同メニューの選択指示信号であると判断して、図１０（ｅ）に示すようなスピードダイヤル発信設定番号選択画面１００５を表示部１８に表示させる（Ｓ３１１）。
【００６５】
一方、ステップＳ３０９において、ＣＰＵ１４は、操作者の操作によるソフトキーＳ２の押下信号を検知する（ステップＳ３１２）と、前画面に戻る指示信号が入力されたと検知して、ステップＳ３０５の工程に戻る。
【００６６】
ステップＳ３１１において、表示されたスピードダイヤル発信設定番号選択画面１００５は、図９（ｂ）と同様の表示項目、内容となっており、図１０（ｅ）においては、「ＴＥＬ２」９１ｂにスピードダイヤル発信が設定されている。そこで、操作者は、スピードダイヤル発信設定を行いたい電話番号（例えば、図１０（ｅ）においては、「ＴＥＬ１」９１ａ）にフォーカスＦＣを移動させて位置させることにより、電話番号を選択する（ステップＳ３１３）。
【００６７】
次いで、ＣＰＵ１４は、ソフトキーＳ１の押下信号を検知すると、操作者によりフォーカスＦＣが位置する電話番号（例えば、「ＴＥＬ１」９１ａ）の詳細表示画面の表示指示が入力されたと判断し（ステップＳ３１４）、ステップＳ３０５に移行する。尚、この時の電話番号の詳細表示画面には、図１０（ｃ）に示す「メニュー」アイコン７２は表示されていない。
【００６８】
一方、ＣＰＵ１４は、メニューキーＭの入力信号を検知した場合（ステップＳ３１５）、フォーカスＦＣが位置する電話番号（例えば、図１０（ｅ）においては「ＴＥＬ１」９１ａ）をスピードダイヤル発信設定番号に変更する処理を実行する（ステップＳ３１６）。具体的に、ＣＰＵ１４は、電話帳テーブル１９ａのスピードダイヤル発信設定が選択された番号のスピードダイヤル発信設定の有無欄の値を「０」から「１」に変更し、その他の番号の値を「０」にする。
【００６９】
そして、ＣＰＵ１４は、図１０（ｆ）に示すようなスピードダイヤル発信設定の完了画面１００６を表示部１８に表示させる（ステップＳ３１７）とともに、設定完了を報知する報知音をスピーカ２０から放音させる。
【００７０】
次いで、ＣＰＵ１４は、完了画面１００６を表示部１８に表示させてから所定の時間が経過したか否かを判断し（ステップＳ３１８）、所定時間が経過したと判断した場合（ステップＳ３１８：Ｙｅｓ）には、ステップＳ３１９に移行する。
ステップＳ３１９において、ＣＰＵ１４は、電話帳テーブル１９ａのスピードダイヤル発信設定の有無の欄に基づいて、スピードダイヤル設定が行われている電話番号（ここでは、「ＴＥＬ１」１０１ａ）の表示色を変更した（図１０の（ｇ）においては、表示色の代わりに下線で表現）、メモリダイヤル登録の内容を更新した詳細画面１００７を作成して、表示部１８に表示させ、このことをもって、スピードダイヤル発信変更処理が終了し、例えば、図５のステップＳ１０５へ移行する。
【００７１】
一方、ステップＳ３１１におけるスピードダイヤル発信設定番号選択画面１００５が表示された状態において、ＣＰＵ１４は、操作者によりソフトキーＳ２が押下されたと判断した場合（ステップＳ３２０）には、画面を戻る指示が入力されたと判断してステップＳ３０７に工程を戻る。
【００７２】
このように、本実施の形態によれば、記憶部１９の電話帳テーブル１９ａの一つのダイヤルメモリに複数の電話番号を登録した場合に、短縮ダイヤル機能（スピードダイヤル発信設定）に対応した電話番号を自在に設定、変更できるので、電話番号ごとにメモリダイヤルを作成したり、あるいは、設定を変更するために入力し直す等の手間が省けることとなって使い勝手がよくなり操作性が改善する。
また、操作者自ら、複数の電話番号から選択できるので、スピードダイヤル発信の変更処理が容易となる。また、スピードダイヤル発信設定、及び変更処理を実行するためのメニューが、メモリダイヤルメニュー画面に設けられているので、設定変更処理の実行が容易である。
【００７３】
尚、上記例においては、複数の電話番号におけるスピードダイヤル発信の設定・変更処理として説明を行ったが、これらに限定されるものではない。例えば、電話番号の他、図１１に示すように、複数のメールアドレスを登録した場合に、メール作成画面においてどちらを短縮表示させるかといった機能の設定処理等を行う構成であってもよい。
この場合、設定されたメールアドレス（例えば、「メールアドレス１」１１１ａ）の表示色が、その他と異なっている。尚、図１１においては、表示色の代わりに下線で表現した。
また、電話番号、メールアドレスの他、通信を行うための通信情報であれば、どのようなものを設定する構成であってもよい。
【００７４】
また、複数の電話番号又はメールアドレスが登録可能なメモリダイヤルの各メニューのうち、スピードダイヤル発信の設定・変更処理について説明を行ったが、これに限定されるものではなく、他のメモリダイヤルメニューの変更処理であってもよい。また、このメモリダイヤルメニューの設定・変更処理は、メモリダイヤル登録画面から設定するのではなく、携帯電話機に通常備えられている基本メニューから行うことが出来る構成であってもよい。この場合、設定・変更処理の操作が簡便化する。
【００７５】
また、メモリダイヤル登録処理における、電話番号の入力、設定時に、スピードダイヤル発信設定を同時に実行することができる構成であってもよい。より詳細には、図１２（ａ）に示すように、操作者が、電話番号設定画面１２００において電話番号入力し、ソフトキーＳ１を押下すると、ＣＰＵ１４は、該入力電話番号に対して、スピードダイヤル発信の設定処理を実行し、図１２（ｂ）に示すように、「ＴＥＬ１」１２１ａアイコンの表示色が変更される。尚、図１２（ｂ）においては、表示色の代わりに下線で表現した。
【００７６】
尚、本実施の形態に係る記述は、本発明に係る好適な携帯電話機１の一例であり、これに限定されるものではない。
例えば、本実施の形態では、本発明を携帯電話に適用した例を挙げたが、本発明はこれに限定されず、例えば、モバイルパソコン、ＰＤＡ、ＰＨＳ等の画像データの通信機能が搭載されている一般の携帯通信端末に適用可能である。
【００７７】
【発明の効果】
本発明によれば、設定手段により、記憶手段によってある一つの氏名データと対応づけて記憶された複数の通信情報のうち、何れか一つの通信情報に短縮番号を設定することができ、通信実行手段により、設定された短縮番号が入力された場合に、短縮番号と対応づけられた通信情報に基づいて通信処理が実行される。従って、複数の通信情報を登録した場合においても、短縮番号の設定を自在に変化させることができることとなって、短縮機能の使い勝手がよくなり操作性を改善することができる。
【図面の簡単な説明】
【図１】本発明の携帯電話機の内部の回路構造を示すためのブロック図である。
【図２】図１の携帯電話機の入力部の操作キーの配置の一例を示す図である。
【図３】図１の携帯電話機の表示部に表示される表示画面の一例を示す図である。
【図４】図１の携帯電話機の記憶部に格納される電話帳テーブルのデータ構成を説明するための図である。
【図５】本発明の実施の形態におけるメモリダイヤル登録処理の動作を説明するためのフローチャートである。
【図６】図５のメモリダイヤル登録処理におけるスピードダイヤル発信設定の動作を説明するためのフローチャートである。
【図７】スピードダイヤル発信の変更処理の動作を説明するためのフローチャートである。
【図８】図５のメモリダイヤル登録処理において展開される表示画面の遷移状態の一例を示す図である。
【図９】図６のスピードダイヤル発信設定処理において展開される表示画面の遷移状態の一例を示す図である。
【図１０】図７のスピードダイヤル発信の変更処理において展開される表示画面の遷移状態の一例を示す図である。
【図１１】メモリダイヤル登録処理における複数のメールアドレス登録時の表示画面の一例を示す図である。
【図１２】メモリダイヤル登録処理の電話番号設定時に、スピードダイヤル発信設定を同時に行う際の表示画面の一例を示す図である。
【符号の説明】
１　携帯電話機（携帯通信端末）
１４　ＣＰＵ（設定手段、通信実行手段）
１７　入力部（入力手段、選択手段）
１８　表示部（表示手段）
１９　記憶部（記憶手段、短縮番号記憶手段）
１９ａ　電話帳テーブル（記憶手段、短縮番号記憶手段）
【図１】
2004088572.tif 000003
【図２】
2004088572.tif 000004
【図３】
2004088572.tif 000005
【図４】
2004088572.tif 000006
【図５】
2004088572.tif 000007
【図６】
2004088572.tif 000008
【図７】
2004088572.tif 000009
【図８】
2004088572.tif 000010
【図９】
2004088572.tif 000011
【図１０】
2004088572.tif 000012
【図１１】
2004088572.tif 000013
【図１２】
2004088572.tif 000014